(57)【特許請求の範囲】
【請求項１】
建築物を構成する躯体の内部空間を仕切る間仕切り構造であって、
上記躯体の天井側及び床側のそれぞれに沿って、互いに対向するように対をなして底面が固定される細長い基材と、
細長い柱状の部材であり、長手方向を上下方向に向けて所定の間隔で配置され、上記天井側及び床側に固定された上記基材のそれぞれに上下の端部が固定される複数の補助柱と、
上記補助柱間の空間を塞ぐように互いに対向して設けられる複数の平板であり、上記対をなす基材及び上記複数の補助柱の一部又は全部に固定される間仕切り壁と、
上記対をなす基材の少なくとも一方に固定して取り付けられ、上記取り付けられた基材と当該基材が固定されている躯体との間に介在する柔軟性を有する平板状の緩衝材と、
上記緩衝材と上記躯体との間に介在し、上記緩衝材に固定されており、上記緩衝材が取り付けられた基材の長手方向に垂直な水平面内の方向である基材の幅方向に、上記緩衝材よりも突き出た部分を有する取付板と、
上記取付板の上記突き出た部分を上記躯体に固定する固定部材とを備えており、
上記間仕切り壁は上記取付板の上記突き出た部分の全体を覆うように配置される壁部を備えることを特徴とする間仕切り構造。
【請求項２】
上記基材は、上記躯体に固定される上記底面を有する細長い平板状の底部と、上記基材の幅方向に上記底部の両端に位置する上記底部の左右両端部から下方又は上方に向けて固定される側部群とで形成される溝部を内側に有し、
上記複数の補助柱は、上記溝部に嵌め合わされており、
上記取付板の上記突き出た部分の上に配置された壁部が前記基材の側部に密着されて
いることを特徴とする請求項１に記載の間仕切り構造。
【請求項３】
躯体によって形成される内部の空間を仕切る間仕切り構造を備える建築物であって、
上記躯体の天井側及び床側のそれぞれに沿って、互いに対向するように、底面が固定される細長い基材と、
細長い柱状の部材であり、長手方向を上下方向に向けて所定の間隔で配置され、上記天井側及び床側に固定された上記基材のそれぞれに上下の端部が固定される複数の補助柱と、
上記補助柱間の空間を塞ぐように対向して設けられる平板であり、上記基材及び上記補助柱の一部又は全部に固定される間仕切り壁と、
上記基材の少なくとも一方に固定して取り付けられ、上記取り付けられた基材と当該基材が固定される躯体との間に介在する柔軟性を有する平板状の緩衝材と、
上記緩衝材と躯体との間に介在し、上記緩衝材に固定されており、上記緩衝材が取り付けられた基材の長手方向に垂直な水平面内の方向である基材の幅方向に、上記緩衝材よりも突き出た部分を有する取付板と、
上記取付板の上記突き出た部分を上記躯体に固定する固定部材とを備えており、
上記間仕切り壁は上記取付板の上記突き出た部分の全体を覆うように配置される壁部を備えることを特徴とする建築物。
【請求項４】
躯体によって形成される内部の空間を仕切る間仕切り構造に利用される間仕切り構造部材であって、
柔軟性を有する平板状の緩衝材と、
上記緩衝材の一面に固定されており、上記躯体への固定に使用するために上記緩衝材よりも突き出している取付板と、
上記緩衝材の一面と対向する上記緩衝材の他面に固定される細長い部材である基材を備え、
上記取付板は、上記基材の長手方向に垂直な水平面内の方向である幅方向に上記基材及び上記緩衝材よりも突き出しており、
上記取付板の上記緩衝材よりも突き出た部分の全体を覆うように間仕切り構造部材の間仕切り壁を乗せたことを特徴とする間仕切り構造部材。
【請求項５】
上記基材は、上記緩衝材に固定される底部と、上記基材の幅方向に上記底部の両端に位置する上記底部の左右両端部から下方又は上方に向けて固定される側部群とで形成される溝部を内側に有し、
細長い柱状の部材であり、長手方向を上下方向に向けて所定の間隔で配置され、上記基材のそれぞれに上下の端部が固定される複数の補助柱が上記溝部に嵌め合わされており、
上記取付板の上記突き出た部分の上に配置された間仕切り壁が前記基材の側部に密着されていることを特徴とする請求項４に記載の間仕切り構造部材。
【請求項６】
建築物を構成する躯体の天井側及び床側のそれぞれに沿って、互いに対向するように、底面が固定される細長い基材と、
細長い柱状の部材であり、長手方向を上下方向に向けて所定の間隔で配置され、上記天井側及び床側に固定された上記基材のそれぞれに上下の端部が固定される複数の補助柱と、
上記補助柱間の空間を塞ぐように対向して設けられる複数の平板であり、上記基材及び上記複数の補助柱の一部又は全部に固定される間仕切り壁とを備えて上記躯体の内部空間を仕切る間仕切り構造の組み立て方法であって、
柔軟性を有する平板状の緩衝材に一体的に、上記緩衝材よりも突き出た部分を有する取付板を固定し、
上記取付板の突き出た部分を上記躯体に固定し、
上記取付板の突き出た部分の全体を覆うように上記間仕切り壁を配置する
ことを特徴とする間仕切り構造の組み立て方法。
【請求項７】
上記基材の底面に緩衝材を固定するステップを含むことを特徴とする請求項６に記載の間仕切り構造の組み立て方法。
【発明の詳細な説明】
【技術分野】
【０００１】
本発明は、間仕切り構造、間仕切り構造を備える建築物、間仕切り構造に用いられる部材及び間仕切り構造の組立方法に関する。
【背景技術】
【０００２】
マンション、アパート等の集合住宅では、木造モルタル、鉄筋コンクリート等の躯体で複数の住戸の枠組みが形成される。各住戸の中は、間仕切り構造、床構造、天井構造等を組み合わせることによって、各住戸の間取り、すなわちリビング、キッチン、寝室、バス等が形成される。このように、集合住宅の各住戸は、躯体を介して繋がっている。そのため、集合住宅では、間仕切り、躯体等を伝って住戸間で衝撃及び音が伝播しやすく、静穏な生活をみだす原因となる。そして、住戸間で伝播する衝撃及び音が、近隣間のトラブルを引き起こすことすらある。
【０００３】
トラブルの原因となる衝撃及び音は、例えば、子供が飛び跳ねたとき、重量物を誤って床に落としたとき等の衝撃、オーディオ、テレビ等の音、ピアノ等の楽器の音等の日常生活で生じるものである。快適な住環境を実現するために、住戸間での衝撃及び音の伝播を抑制又は遮断することは重要である。衝撃及び音は、特に階下の住戸に伝播することが多いため、天井側の躯体を介した衝撃及び音の伝播を抑制する技術が提案されている。例えば、特許文献１には、住戸の中を仕切る間仕切り壁と天井との間に緩衝材（防振材）を介在させる間仕切り壁の取付構造が記載されている。
【先行技術文献】
【特許文献】
【０００４】
【特許文献１】特開２００６−１５２６８３号公報
【発明の概要】
【発明が解決しようとする課題】
【０００５】
特許文献１に緩衝材の取付方法は記載されていないが、具体的に、特許文献１に記載の緩衝材を取り付ける方法を考えてみると、従来の緩衝材は、その取り付けに非常に手間が掛かる。特許文献１に記載の緩衝材は、隣接する間仕切り壁にまたがって取り付けられる。そのため想定される具体的な取付方法は、以下の手順になる。まず、緩衝材は、その半分だけが間仕切り壁によって、間仕切り壁と天井との間に挟まれる。この時、緩衝材の残り半分は未だ、間仕切り壁に取り付けられていない。次に、隣接する間仕切り壁が設置され、その時、緩衝材の残り半分が、隣接する間仕切り壁と天井との間に挟み込むようにして取り付けられる。
【０００６】
このように、緩衝材を取り付ける工程の途中では、緩衝材の半分は取り付けられているが、残り半分は取り付けられていないという状態が生じる。例えば、緩衝材を天井に接着等していない場合、緩衝材の取り付けられていない部分は、下方に垂れ下がった状態になる。施工者は、隣接する間仕切り壁を設置する際、下方に垂れ下がった残りの緩衝材を折り曲げたりすることなく、天井と隣接する間仕切り壁との間に挟み込むように、十分な注意を払う必要がある。そのため、作業効率は低下する。
【０００７】
また、例えば、緩衝材を天井に接着している場合には、上述のように折り曲げて挟み込む危険はほぼなくなる。施工者が折り曲げ防止に注意を払う必要はなくなる。しかし、緩衝材を天井に接着する手間が掛かるため、それによって、作業効率は低下する。
【０００８】
このように特許文献１に記載の技術では、作業効率が低下するという問題がある。作業効率の低下は、建物全体の間仕切り壁の取り付けに掛かる作業時間に大きく影響する。特に、設置される間仕切り壁の数が多くなる程、その影響は大きくなる。効率的に快適な住環境を構築する技術が望まれる。
【０００９】
そこで、本発明は、異なるフロア間での衝撃及び音の伝播を抑えながら、効率的に間仕切り壁を取り付けることが可能な間仕切り構造の提供を目的とする。
【課題を解決するための手段】
【００１０】
建築物を構成する躯体の内部空間を仕切る間仕切り構造であって、
上記躯体の天井側及び床側のそれぞれに沿って、互いに対向するように対をなして底面が固定される細長い基材と、
細長い柱状の部材であり、長手方向を上下方向に向けて所定の間隔で配置され、上記天井側及び床側に固定された上記基材のそれぞれに上下の端部が固定される複数の補助柱と、
上記補助柱間の空間を塞ぐように互いに対向して設けられる複数の平板であり、上記対をなす基材及び上記複数の補助柱の一部又は全部に固定される間仕切り壁と、
上記対をなす基材の少なくとも一方に固定して取り付けられ、上記取り付けられた基材と当該基材が固定されている躯体との間に介在する柔軟性を有する平板状の緩衝材と、
上記緩衝材と上記躯体との間に介在し、上記緩衝材に固定されており、上記緩衝材が取り付けられた基材の長手方向に垂直な水平面内の方向である基材の幅方向に、上記緩衝材よりも突き出た部分を有する取付板と、
上記取付板の上記突き出た部分を上記躯体に固定する固定部材とを備えており、
上記間仕切り壁は上記取付板の上記突き出た部分の全体を覆うように配置される壁部を備える。
【発明の効果】
【００１１】
本発明によると、基材と躯体との間に緩衝材が介在する。そのため、異なるフロア間での衝撃及び音の伝播を抑制することができ、静かな住居を提供することが可能になる。また、天井側及び床側の緩衝材はそれぞれ、天井側及び床側の取付板の突き出た部分を用いて躯体に固定するため、その施工は容易である。そのため、間仕切り構造を設けるための作業効率に与える影響は極めて少ない。従って、本発明によれば、間仕切り壁を取り付ける作業の効率をほとんど低下させることなく、衝撃及び音の伝播が少ない静かな住環境を実現することが可能になる。
【図面の簡単な説明】
【００１２】
【図１】本発明の実施の形態１に係る間仕切り構造の概要を示す斜視図である。
【図２】実施の形態１に係る間仕切り構造の図１に示すＸ面での正面断面図である。
【図３】実施の形態１に係る間仕切り構造の図１に示すＹ面での側方断面図である。
【図４】実施の形態１において、緩衝材を取り付けたレールの斜視図である。
【図５】緩衝材を取り付けたレールの図４に示すＺ面での断面図である。
【図６】実施の形態１において、緩衝材を取り付けた天井側及び床側レールを躯体に取り付けた状態の概要を示す斜視図である。
【図７】実施の形態１において、スタッドを取り付けた状態を示す斜視図である。
【図８】本発明の実施の形態２に係る間仕切り構造の床側の概要を示す側面図である。
【図９】実施の形態３に係る間仕切り構造の正面断面図である。
【図１０】実施の形態３に係る間仕切り構造の側方断面図である。
【図１１】実施の形態３において、緩衝材及び取付板が固定された木製基材を示す斜視図である。
【図１２】緩衝材を取り付けたレールの図１１に示すＷ面での断面図である。
【発明を実施するための形態】
【００１３】
本発明の実施の形態について、図を参照して説明する。全図を通して、各部位の寸法及びその比率は、本発明の特徴を分かり易くするために適宜変更している。そのため、各部位の寸法及びその比率は、図示されるものに限定されない。また、全図を通して、各部材の表面は、滑らかな平面で示す部材であっても、装飾や施工性の向上等のために、適宜、凹凸、エンボス加工等が施されてもよい。なお、全図を通して同一の部位には、同一の符号を付している。
【００１４】
（実施の形態１）
図１は、本発明の実施の形態１に係る間仕切り構造の概要を示す斜視図である。また、図２は、図１のＸ面での正面断面図を示し、図３は、図１のＹ面での側方断面図を示す。
【００１５】
実施の形態１に係る間仕切り構造１０は、躯体によって形成される集合住宅の各住戸の内部の空間を仕切る構造である。住戸は、その住戸の天井の基準となる天井側躯体１２と、その住戸を囲う側壁の基準となる側壁躯体１４と、その住戸の床の基準となる床側躯体１６とで形成される。住戸内の空間を仕切ることによって、リビング、キッチン、寝室、バス等のいわゆる間取りが形成される。各躯体１２，１４，１６は、コンクリート、モルタル、石膏ボード等の無機材料、構造用合板、パーティクルボード等の木質材料等を用いて築かれる。なお、本発明に係る間仕切り構造は、集合住宅の各住戸に限らず、オフィス、商業用スペースなど建築物の内部の空間を仕切る構造に適用できる。
【００１６】
間仕切り構造１０は、垂直方向に互いに対向するように配置される天井側レール２０及び床側レール４０と、それぞれに取り付けられる天井側緩衝材２４及び床側緩衝材４４と、天井側レール２０及び床側レール４０によって支持されるスタッド７０と、スタッド７０のうち側壁躯体１４の近傍に配置される側壁スタッド６０に取り付けられる側壁緩衝材６２と、スタッド６０，７０に支持される間仕切り壁８０とを備える。図１において、スタッド６０，７０は、間仕切り壁８０の影になるため図示されない。なお、間仕切り壁８０は、スタッド６０，７０と天井側レール２０及び床側レール４０とによって支持されてもよく、またスタッド６０，７０に代えて天井側レール２０及び床側レール４０とによって支持されてもよい。
【００１７】
天井側レール２０は、自身の内側に第１の溝２１を形成する第１溝部２２を有する細長い部材である。第１溝部２２は、詳しくは、細長い平板状の第１底部２２ａと、第１底部２２ａの長さ方向と平行に見た場合に第１底部２２ａの左右両端部（長手方向に垂直な水平面内の方向である幅方向の両端部）から下方に向けて垂直に固定して設けられる第１側部群２２ｂとから形成される（図４及び図５参照）。又、床側レール４０は、自身の内側に第２の溝４１を形成する第２溝部４２を有する細長い部材である。第２溝部４２は、第１溝部２２と同様の要素を有して上下を逆にした形状をしており、詳しくは、長い平板状の第２底部４２ａと、第２底部４２ａの左右両端部（長手方向に垂直な水平面内の方向である幅方向の両端部）から上方に向けて垂直に固定して設けられる第２側部群４２ｂとから形成される（図４及び図５参照）。
【００１８】
天井側レール２０及び床側レール４０はともに、通常、スチール、合金等を材料として一体に形成される。
【００１９】
天井側緩衝材２４は、天井側レール２０の第１底部２２ａの外側に、天井側レール２０の長さ方向に並べて取り付けられる細長い平板状の柔軟性を有する部材である。天井側緩衝材２４は、天井側レール２０の第１底部２２ａの長さ方向に垂直な水平面内の方向である幅方向に、天井側レール２０の第１底部２２ａの幅と同じ長さ又はその幅よりも短い長さを有する。また、床側緩衝材４４は、床側レール４０の第２底部４２ａの外側に、床側レール４０の長さ方向に並べて取り付けられる細長い平板状の柔軟性を有する部材である。床側緩衝材４４は、床側レール４０の第２底部４２ａの長さ方向に垂直な水平面内の方向である幅方向に、床側レール４０の第２底部４２ａの幅と同じ長さ又はその幅よりも短い長さを有する。
【００２０】
天井側緩衝材２４及び床側緩衝材４４は、振動、音などがフロア間を伝達することを抑制できるだけの柔軟性を有する材料を用いることが望ましく、例えば、ゴム組成物、熱可塑性エラストマー、２種以上のゴム組成物を混合又は積層して架橋成型することによって得られるもの、２種以上の熱可塑性エラストマー組成物を混合又は積層することによって得られるもの等である。天井側緩衝材２４及び床側緩衝材４４に好ましい材料の硬度は、ゴム硬度で２０度〜７０度である。天井側緩衝材２４及び床側緩衝材４４は、それぞれ、ゴム組成物又はエラストマー組成物を、二本ロール、カレンダーロール、ローラーヘッダー、押出機等によって一定厚さのシート状に圧延した後に、プレス成型加工、射出成型加工、熱空気成型加工等をすることによって一体的に形成される。
【００２１】
ここで、ゴム組成物とは、天然ゴム、合成ゴム、又はこれらの２種以上をブレンドして得られるゴムを主成分として、補強材、充填材、可塑剤、軟化剤、老化防止剤、粘着剤、加工助剤、着色剤、架橋剤、架橋助剤等を添加したゴム組成物を通常のロール混練り、バンバリーミキサー、インターナルミキサー、加圧ニーダー等によって混練したものである。
【００２２】
床側緩衝材４４と床側レール４０との構造的な関係について、図４及び図５を参照して説明する。天井側緩衝材２４と天井側レール２０との構造的な関係は、上述の床側緩衝材４４と床側レール４０との構造的な関係と同様である。天井側緩衝材２４と天井側レール２０とについて、図４及び図５では、それぞれの対応する部材の参照符号に括弧を付けて記載する。
【００２３】
床側レール４０（２０）は、底部４２ａ（２２ａ）の外側に取り付け用の床側レール突起部５２（３２）を有する。また、床側緩衝材４４（２４）は、一面が床側レール４０（２０）に取り付けられており、レール突起部５２（３２）に嵌り合う形状のレール側窪み部５４（３４）を有する。床側レール４０（２０）と床側緩衝材４４（２４）とは、床側レール４０（２０）が金属の場合、好ましくは、上述のレール突起部５２（３２）とレール側窪み部５４（３４）との嵌合に加えて、架橋成型によって固定される。なお、床側レール４０（２０）と床側緩衝材４４（２４）とは、レール突起部５２（３２）とレール側窪み部５４（３４）との嵌合に加えて、接着剤等によって接着されてもよい。また、床側レール４０（２０）と床側緩衝材４４（２４）とは、レール突起部５２（３２）とレール側窪み部５４（３４）とを有さない平らな面が架橋成型されることによって、又は、接着剤等で接着されることによって、固定されてもよい。
【００２４】
天井側取付板２６は、天井側躯体１２と天井側緩衝材２４との間に介在する四角形の平板である。天井側取付板２６は、一面が天井側緩衝材２４に接しており、他面が天井側躯体１２に接している。天井側取付板２６は、天井側緩衝材２４に接する面に、取付板突起部３８を有する。また、天井側取付板２６は、天井側基材２０の幅方向の両側に、天井側緩衝材２４よりも突き出た部分を有する。天井側取付板２６は、該突き出た部分を利用して、固定部材としての釘３０により天井側躯体１２に固定される。本実施の形態では、天井側取付板２６の突き出た部分は、釘３０を突き通すための穴２８を有しており、その穴２８を介して躯体１２に釘３０が打たれ、それによって、天井側取付板２６と、それに固定された天井側緩衝材２４及び天井側レール２０とが、天井側躯体１２に固定される。また、安定して天井側取付板２６を取り付けるために、天井側取付板２６の突き出た部分は、１０ｍｍ以上あることが好ましい。
【００２５】
床側取付板４６は、床側躯体１６と床側緩衝材４４との間に介在する四角形の平板である。床側取付板４６は、一面が床側緩衝材４４に接しており、その一面に対向する他面が床側躯体１６に接している。床側取付板４６は、床側緩衝材４４に接する面に、取付板突起部５８を有する。
【００２６】
また、床側取付板４６は、床側基材４０の幅方向の両側に、床側緩衝材４４よりも突き出た部分を有する。床側取付板４６は、該突き出た部分を利用して、固定部材としての釘５０により床側躯体１６に固定される。本実施の形態では、床側取付板４６の突き出た部分は、釘５０を突き通すための穴４８を有しており、その穴４８を介して躯体１６に釘５０が打たれ、それによって、床側取付板４６と、それに固定された床側緩衝材４４及び床側レール４０とが、床側躯体１６に固定される。床側取付板４６は、金属、木材、プラスチック等を用いて製造される。また、安定して天井側取付板２６を取り付けるために、天井側取付板２６の突き出た部分は、１０ｍｍ以上あることが好ましい。
【００２７】
なお、固定部材３０，５０は、ネジであってもよい。またなお、天井側取付板２６及び床側取付板４６の突き出た部分は、穴２８，４８を有しない平板であってもよい。この場合、例えば、エアー、火薬等を利用して釘又は鋲を打ち込む釘打機、鋲打機、釘打銃、鋲打銃等と呼ばれる工具を用いることによって、釘又は鋲が、天井側取付板２６及び床側取付板４６を貫通して、コンクリートの躯体に打ち込まれる。
【００２８】
床側緩衝材４４と床側取付板４６との構造的な関係について図４及び図５を参照して説明する。天井側緩衝材２４と天井側取付板２６との構造的な関係は、上述の床側緩衝材４４と床側取付板４６との構造的な関係と同様であり、図４及び図５では、それぞれの対応する部材の参照符号に括弧を付けて記載する。
【００２９】
床側取付板４６（２６）には、上述のように、その一面に取付板突起部５８（３８）が設けられる。また、床側緩衝材４４（２４）には、床側取付板４６（２６）と接する面に、取付板突起部５８と嵌合する取付板側窪み部５６（３６）を有する。床側取付板４６（２６）と床側緩衝材４４（２４）とは、床側取付板４６（２６）が金属の場合、好ましくは、上述の取付板突起部５８（３８）と取付板側窪み部５６（３６）との嵌合に加えて、架橋接着によって固定される。なお、床側取付板４６（２６）と床側緩衝材４４（２４）とは、取付板突起部５８（３８）と取付板側窪み部５６（３６）との嵌合に加えて又はそれに代えて、接着されてもよい。
【００３０】
スタッド７０は、中空の四角柱であり、例えばスチール等の金属を用いて形成される。スタッド７０は、その上端部が第１溝部２２の第１の溝２１に嵌って挟持され、また、その下端部が第２溝部４２の第２の溝４１に嵌まって挟持される。スタッド７０は、このように天井側レール２０及び床側レール４０に支持されて、立設する。スタッド７０は、複数のものが一定間隔で配置される。スタッド７０の間隔は、通常、３０３ｍｍ又は４５５ｍｍである。
【００３１】
側壁スタッド６０は、上記のスタッド７０のうち、特に、側壁躯体１４の近傍に位置し、一面が側壁躯体１４の表面と向かい合うスタッドである。側壁緩衝材４４は、側壁スタッド４０の側壁躯体１４と向かい合う面に、側壁スタッド４０の長さ方向に並べて取り付けられる細長い平板状の柔軟性を有する部材である。側壁緩衝材４４は、天井側緩衝材２４及び床側緩衝材４４と同様に、嵌合と、好ましくは架橋接着によって、側壁スタッド６０に固定して取り付けられるため、ここでの詳細な説明は省略する。このように、側壁補助柱１６０と側壁躯体１４との間に側壁緩衝材６２を介在させることによって、側壁補助柱１６０から側壁躯体１４への衝撃、音等の伝搬を抑制することができる。
【００３２】
また、側壁取付板６４は、天井側取付板２６と同様に、側壁躯体１４と側壁緩衝材４４との間に介在する四角形の平板である。側壁取付板６４は、側壁躯体１４に平行な平面において側壁スタッド６０の長手方向に垂直な方向であるスタッドの幅方向の両側に側壁緩衝材４４よりも突き出た部分を有する。側壁取付板６４の突き出た部分は、天井側取付板２６の突き出た部分と同様に、釘６８を突き通すための穴６６を有しており、その穴６６を介して躯体１４に釘６８が打たれ、それによって、側壁取付板６４と、それに固定された側壁緩衝材６２及び側壁スタッド６０とが、側壁躯体１４に固定される。このように、側壁スタッド６０と側壁躯体１４との間に側壁緩衝材６２を介在させることによって、側壁スタッド６０から側壁躯体１４への衝撃、音等の伝搬を抑制することができる。
【００３３】
間仕切り壁８０は、スタッドの幅方向の両端部がスタッド６０，７０にネジ止め等によって（図示せず）、固定される平板状の壁材であり、具体的には例えば石膏ボードである。間仕切り壁８０は、室内に面する外壁部８２と、外壁部より小さい外周を有する内方壁部８４とを有する。このように、外壁部８２より小さい内方壁部８４を有することによって、間仕切り壁８０と各取付板２６，４６及び６４とが干渉することがなくなり、間仕切り壁８０をレール２０及び４０に密着させて取り付けることが可能になる。
【００３４】
また、間仕切り壁８０の外壁部８２の寸法は、通常規格に合わせて作られている。そのため、スタッド６０，７０は、間仕切り壁８０の寸法に合わせた間隔で、配置される。これによって、間仕切り壁８０の両端部をスタッド６０，７０にネジ止め等によって固定することが可能になる。
【００３５】
さらに、図１及び２に示されるように、実施の形態１では、１枚の間仕切り壁８０の幅方向に、４つの天井側緩衝材２４及び天井側取付板２６が並べて取り付けられているが、天井側緩衝材２４及び天井側取付板２６の寸法は、間仕切り壁８０の幅方向の長さの４分の１に限られない。天井側緩衝材２４及び天井側取付板２６の寸法は、間仕切り壁８０の幅方向の長さと同じ、その長さの半分、その長さの３分の１等、間仕切り壁８０の規格に応じた長さであることが好ましいが、任意の長さであってよい。また、床側緩衝材４４及び床側取付板４６の寸法も、天井側緩衝材２４及び天井側取付板２６の寸法と同様に、間仕切り壁８０の規格に応じた長さであることが好ましいが、任意の長さであってよい。
【００３６】
以上、本発明に係る間仕切り構造について説明した。緩衝材をレールと躯体との間、又は、スタッドと躯体との間に介在させることによって、衝撃及び音の伝搬が抑制される。特に、緩衝材は、躯体に取り付けるために設けられた突き出た部分を用いて取付板とともに取り付けられる。そのため、緩衝材を容易に取り付けることが可能である。
【００３７】
次に、これまで説明した図１〜５に示す間仕切り構造の組み立て方法について、図６及び図７を参照して説明する。
【００３８】
まず、図４に示すように、天井側緩衝材２４は、嵌合及び架橋接着によって、天井側レール２０の第１底部２２ａの外側に予め固定されている。また、天井側緩衝材２４は、嵌合及び架橋接着によって、天井側取付板２６にも予め固定されている。床側緩衝材４４も同様に、嵌合及び架橋接着によって、床側レール４０の第２底部４２ａの外側及び床側取付板４６に予め固定されている。なお、間仕切り構造の施工現場において、これらの固定工程が行われてもよい。この場合、例えば、緩衝材２４（４４）が、レール２０（４０）の底部２２ａ（４２ａ）の外側に嵌合されるとともに接着剤等によって固着され、続けて、取付板２６（４６）に嵌合されるとともに接着剤等によって固着される。
【００３９】
次に、図６に示すように、天井側緩衝材２４は、天井側緩衝材２４に固定された天井側取付板２６の突き出た部分に設けられた穴２８を介して釘３０を打つことによって、天井側レール２０とともに天井側躯体１２に固定して取り付けられる。また、床側緩衝材４４は、床側緩衝材４４に固定された床側取付板４６の突き出た部分に設けられた穴４８を介して釘５０を打つことによって、床側レール４０とともに床側躯体１６に固定して取り付けられる。このとき、天井側レール２０と床側レール４０とはともに対向するように配置されて固定されれば、天井側緩衝材２４と床側緩衝材４４とが取り付けられる先後が入れ替わっても構わない。
【００４０】
続けて、側壁緩衝材６２は、側壁緩衝材６２に固定された天井側取付板２６の突き出た部分に設けられた穴６６を介して釘６８を打つことによって、側壁スタッド６０とともに側壁躯体１４に固定して取り付けられる。
【００４１】
続けて、スタッド７０の両端部を、第１溝部２２の第１の溝２１及び第２溝部４２の第２の溝４１のそれぞれに挟持させる。このとき、スタッド７０は、予め決められた間隔で取り付けられる。また、スタッド７０は、好ましくは、図示しない釘等によって天井側躯体１２や床側躯体１６に固定される。これにより、図１に示す間仕切り構造が完成する。なお、これらの各工程は、間仕切り構造を組み立て可能な範囲で順序が適宜、入れ替えられてもよい。
【００４２】
このように、天井側取付板２６、床側取付板４６及び側壁取付板６４のそれぞれが有する突き出た部分と釘３０，５０，６８等を用いて、天井側取付板２６、床側取付板４６及び側壁取付板６４が躯体１２，１４，１６に固定される。また、各取付板２６，４６及び６４のそれぞれは、緩衝材２４，４４及び６２と、レール２０，４０及び側壁スタッド６０とに固定されて一体となって取り付けられるため、間仕切り構造は、その取り付けに要する手間をほとんど増やすことなく、容易に設けることができる。
【００４３】
（実施の形態２）
本実施の形態の間仕切り構造の特徴的な部分を図８に示す。図８は、実施の形態２に係る間仕切り構造の床側の概要を示す側面図である。図示するように、本実施の形態では、実施の形態１の間仕切り構造に加えて、床構造９０を備える。床構造９０は、床を形成する床材９１と、床側躯体１６上に設置されて床材９１を支持する支持台９４と、床材９１と間仕切り壁８０との間に介在する床材緩衝材９２とを備える。
【００４４】
床材９１は、位置決め穴９３を有する。支持台９４は、床側躯体１６上に設置される平らな円盤状の土台部９５と、床材９１を支持する平らな円盤状の支持部９７と、土台部９５と支持部９７とを一定の間隔で固定する軸９６とを有する。軸９６の上端部は、支持部９７よりも突き出ており、その突く出た部分が床材９１の位置決め穴９３に嵌る。このような軸９６と位置決め穴９３との嵌合によって、床材９１は水平方向に固定される。
【００４５】
床緩衝材９２は、実施の形態１で説明した緩衝材２４（４４，６２）と同様の材料を用いて作られた緩衝材である。床緩衝材９２は、床材９１の四方の辺の厚さ部分に固着される。これにより、床材９１に伝わった衝撃又は音が、辺部分を介して間仕切り構造１０に伝播することを低減することができる。また、床緩衝材９２は、接着剤等によって容易に取り付けられる。従って、床緩衝材９２を取り付けるような簡単な工程を追加して床構造９０を設けることによって、異なるフロアに伝播する衝撃及び音を抑制することが可能になる。
【００４６】
（実施の形態３）
図９〜１２を参照して、実施の形態３に係る間仕切り構造について説明する。図９は、本発明の実施の形態３に係る間仕切り構造の正面断面図を示し、図１０は、同実施の形態に係る間仕切り構造の側方断面図を示す。
【００４７】
実施の形態３に係る間仕切り構造１１０は、天井側木製基材１２０及び床側木製基材１４０と、それぞれに取り付けられる天井側緩衝材２４及び床側緩衝材４４と、天井側取付板２６及び床側取付板４６と、天井側木製基材１２０及び床側木製基材１４０によって支持される木製補助柱１７０と、木製補助柱１７０のうち側壁躯体１４の近傍に配置される側壁補助柱１６０に取り付けられる側壁緩衝材６２と、木製補助柱１６０，１７０に支持される間仕切り壁８０とを備える。各図において、実施の形態１と同じ部材には同一の参照符号を付している。これらの実施の形態１と同一の参照符号を付した部材に関するここでの説明は、省略する。
【００４８】
天井側木製基材１２０及び床側木製基材１４０はともに、木製の四角柱であり、長手方向がそれぞれ天井側躯体１２及び床側躯体１６に固定される。各木製基材１２０，１４０の躯体１２，１６への固定には、通常、釘が用いられるが（図示せず）、この固定方法はこれに限定されず、ネジ等が用いられてもよい。
【００４９】
図１１は、実施の形態３に係る緩衝材４４（２４）及び取付板４６（２６）が固定された木製基材を示す斜視図であり、図１２は、図１１に示すＷ面での断面図である。これらの図に示すように、木製基材１４０（１２０）は、緩衝材４４（２４）が取り付けられる緩衝材取付面１４０ａ（１２０ａ）に、実施の形態１のレール（２０，４０）と同様に、基材突起部５２（３２）を有する。この突起部５２（３２）が緩衝材４４（２４）の窪み部５４（３４）と嵌合するともに接着材などによって、木製基材１４０（１２０）と緩衝材４４（２４）とが固定される。なお、突起部５２（３２）は削り出し等の加工によって設けられるが、これはなくてもよい。この場合、木製基材１４０（１２０）と緩衝材４４（２４）とは、例えば接着剤によって固定される。
【００５０】
木製補助柱１７０は、木製の四角柱であり、天井側木製基材１２０及び床側木製基材１４０の間に上下方向に平行に複数、設けられる。木製補助柱１７０の上端面は、天井側基材１２０の下面１２０ｂに密着するように、また木製補助柱１７０の下端面は、床側基材１４０ｂの上面に密着するように配置される。ここで、天井側基材１２０の下面１２０ｂは、図１１及び図１２に示すように、天井側基材１２０の緩衝材取付面１２０ａに対向する面である。また、床側基材１４０の上面１４０ｂは、図１１及び図１２に示すように、床側基材１４０の緩衝材取付面１４０ｂに対向する面である。
【００５１】
木製補助柱１７０は、ネジが通る穴が開いたＬ字状に屈曲した平らな金属板であるＬ字金具１３２と、Ｌ字金具１３２に設けられた穴１３４を貫通するネジ等（図示せず）とを用いて、木製基材１１８，１２６に固定される。なお、木製補助柱１３８を木製基材１１８，１２６に固定する方法は、Ｌ字金具１３２を用いる方法に限られない。例えば、木製補助柱１７０から斜めに長い釘を打ち付けて、木製基材１２０，１４０にまで貫通させることによって、木製補助柱１７０と木製基材１２０，１４０とを固定してもよい。
【００５２】
側壁補助柱１６０は、上記の木製補助柱１７０のうち、特に、側壁躯体１４の近傍に位置し、一面が側壁躯体１４の表面と向かい合う補助柱である。側壁補助柱１６０は、側壁緩衝材６２及びそれに固定された側壁取付部６４に固定して取り付けられている。側壁補助柱１６０と側壁緩衝材６２とは、木製基材１４０（１２０）と緩衝材４４（２２）の場合と同様に、嵌合や接着剤によって固定される。側壁補助柱１６０は、側壁取付部６４の突き出た部分に釘６８を打つこと等によって、側壁緩衝材６２とともに、側壁躯体１４に固定される。このように、側壁補助柱１６０と側壁躯体１４との間に側壁緩衝材６２を介在させることによって、側壁補助柱１６０から側壁躯体１４への衝撃、音等の伝搬を抑制することができる。なお、更に、Ｌ字状金具１３２と、ネジ、釘等（図示せず）とを用いて、木製基材１２０及び１４０に固定されてもよい。
【００５３】
以上、本発明の実施の形態３に係る間仕切り構造について説明した。実施の形態３に係る間仕切り構造の施工方法は、実施の形態１の施工方法について、天井側レール２０を天井側木製基材１２０に、床側レール４０を床側木製基材１４０に、木製補助柱１７０及び１６０をそれぞれスタッド７０及び６０に代えたものと概ね同じである。そのため、本実施の形態に係る間仕切り構造の施工方法に関する詳細な説明は、省略する。
【００５４】
木製基材１２０，１４０と躯体１２，１６との間に緩衝材２４，４４を介在させるため、本実施の形態においても、実施の形態１と同様に、衝撃及び音の伝搬が抑制される。また、緩衝材２４，４４は、木製基材１２０，１４０及び側壁補助柱１６０とに固定されて一体となって取り付けられるため、間仕切り構造は、その取り付けに要する手間をほとんど増やすことなく、容易に設けることができる。
【産業上の利用可能性】
【００５５】
本発明は、間仕切り壁躯体に設けるための間仕切り構造、その組立方法等に利用できる。
【符号の説明】
【００５６】
１０，１１０  間仕切り構造、１２  天井側躯体、１４  側壁躯体、１６  床側躯体、２０，４０  レール、２１，４１  溝、２２，４２  溝部、２４，４４，６２  緩衝材、２６，４６，６４  取付板、２８，４８，６６  穴、３０，５０，６８  釘、６０，７０  スタッド、８０  間仕切り壁、１２０，１４０  木製基材、１６０，１７０  木製補助柱
【図１】
0005737895.tif 000002
【図２】
0005737895.tif 000003
【図３】
0005737895.tif 000004
【図４】
0005737895.tif 000005
【図５】
0005737895.tif 000006
【図６】
0005737895.tif 000007
【図７】
0005737895.tif 000008
【図８】
0005737895.tif 000009
【図９】
0005737895.tif 000010
【図１０】
0005737895.tif 000011
【図１１】
0005737895.tif 000012
【図１２】
0005737895.tif 000013